【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】  繊維スラリー中に汚染物質を分散させる方法であって、
（Ａ）必要に応じて前記スラリーを混合するステップ；
（Ｂ）必要に応じてこのスラリーを混合しながら、このスラリーへと汚染物質分散剤を添加するステップ；この汚染物質分散剤が、
（１）可塑剤、および必要に応じて、
（２）
（ａ）アニオン性分散剤；
（ｉ）  酸またはレシチンおよび必要に応じて塩基；または
（ｉｉ）予め中和された成分
のいずれかを含有する水と組み合わされている；および
（ｂ）界面湿潤剤；必要に応じて、
（ｉｉｉ）  酸またはレシチンおよび必要に応じて塩基；または
（ｉｖ）予め中和された成分；
のいずれかを含有する水と組み合わされている
からなる群より選ばれた一種以上の成分
を含有しており、
ここで前記可塑剤が、アジピン酸、アジピン酸ジメチル、アジピン酸ジエチル、アジピン酸ジ−ｎ−ブチル、アジピン酸ジイソブチル、アジピン酸ジ−ｎ−ヘキシル、アジピン酸ジ（１，３−ジメチルブチル）、アジピン酸ジ−２−エチルヘキシル、アジピン酸ジイソオクチル、アジピン酸ジカプリル、アジピン酸ヘプチルノニル、アジピン酸ジイソノニル、アジピン酸ジ−ｎ−オクチル−ｎ−デシル、アジピン酸ジイソデシル、アジピン酸ジシクロヘキシル、アジピン酸ベンジルオクチル、アジピン酸ジブトキシエチル、アジピン酸ビス（２，２，４−トリメチル−１，３−ベンタンジオール モノイソブチル）、アジピン酸ビス（４−クロロブチル）、アジピン酸ジイソヘキシル、アゼレート、ベンゾエート、ベンゾトリアゾール、ブラシレート、クエン酸エステル、グルタル酸エステル、グリセリンエステル、グリコールエステル、グリコール、グリコレート、ヘキサヒドロフタレート、イソフタレート、イソセバシン酸エステル、２，２，４−トリメチル−１，３ペンタンジオール ジイソブチレートを含むが限定はされないイソブチレート、オレイン酸エステル、パルミチン酸エステル、ペンタエリスリトールエステル、フタレート、ピロメリテート、リシノリエート、サリチル酸エステル、セバシン酸エステル、ステアリン酸エステル、コハク酸エステル、酒石酸エステル、テレフタレート、テトラヒドロフタレートおよびトリメリテートからなる群より選択されており、
前記可塑剤が存在する唯一の成分である場合には、前記可塑剤は２，２，４−トリメチル−１，３ペンタンジオール ジイソブチレートであり；および
（Ｃ）前記繊維スラリーを混合し、前記汚染物質分散剤によって、前記繊維スラリー中に存在する汚染物質を分散させ、汚染されていない繊維の生成を生じさせるステップ
を含む方法。
【請求項２】  前記繊維スラリーが、ワックス処理された容器を含む、請求項１記載の方法。
【請求項３】  混合が特定の機械的工程によって生じ、または、前記プロセスに内在する流動条件から生ずる、請求項１記載の方法。
【請求項４】  前記汚染物質分散剤が、水と、可塑剤と、アニオン性分散剤と、酸またはレシチンおよび必要に応じて塩基の組み合わせ、あるいは予め中和された成分のいずれかを含有し、そして、更に界面湿潤剤を含有する、請求項１記載の方法。
【請求項５】  前記汚染物質分散剤が、水と、可塑剤と、アニオン性分散剤と、界面湿潤剤と、酸および塩基の組み合わせを含有する、請求項１記載の方法。
【請求項６】  前記汚染物質分散剤が、
水：４２．９重量％
２，２，４−トリメチル−１，３−ペンタンジオールイソブチレートである可塑剤：１４．３重量％
「Ｌ１０１」ＥＯ／ＰＯブロック共重合体（１００％活性成分）である界面湿潤剤：１４．３重量％
ナフタレンスルホネートのナトリウム塩であるアニオン性分散剤：１４．３重量％
ドデシルベンゼンスルホン酸である酸：７．１重量％；および
トリエタノールアミンである塩基：７．１重量％
からなる、請求項５記載の方法。
【請求項７】  更に（Ｄ）前記スラリーから前記汚染されていない繊維を分離する、請求項１記載の方法。
【請求項８】  更に（Ｅ）前記汚染されていない繊維を回収する、請求項１記載の方法。
【請求項９】  ステップ（Ｃ）の後に、凝固剤、ベントナイトおよびコロイダルシリカからなる群より選択された化合物を添加する、請求項１記載の方法。
【請求項１０】  前記汚染物質分散剤が、
水：４２．９重量％
２，２，４−トリメチル−１，３−ペンタンジオールイソブチレートである可塑剤：１４．３重量％
「Ｌ１０１」ＥＯ／ＰＯブロック共重合体（１００％活性成分）である界面湿潤剤：１４．３重量％
ナフタレンスルホネートのナトリウム塩であるアニオン性分散剤：１４．３重量％；および
レシチン：１４．２重量％
からなる、請求項１記載の方法。
【請求項１１】  （ａ）水；
（ｂ）可塑剤；前記可塑剤が、アジピン酸、アジピン酸ジメチル、アジピン酸ジエチル、アジピン酸ジ−ｎ−ブチル、アジピン酸ジイソブチル、アジピン酸ジ−ｎ−ヘキシル、アジピン酸ジ（１，３−ジメチルブチル）、アジピン酸ジ−２−エチルヘキシル、アジピン酸ジイソオクチル、アジピン酸ジカプリル、アジピン酸ヘプチルノニル、アジピン酸ジイソノニル、アジピン酸ジ−ｎ−オクチル−ｎ−デシル、アジピン酸ジイソデシル、アジピン酸ジシクロヘキシル、アジピン酸ベンジルオクチル、アジピン酸ジブトキシエチル、アジピン酸ビス（２，２，４−トリメチル−１，３−ベンタンジオール モノイソブチル）、アジピン酸ビス（４−クロロブチル）、アジピン酸ジイソヘキシル、アゼレート、ベンゾエート、ベンゾトリアゾール、ブラシレート、クエン酸エステル、グルタル酸エステル、グリセリンエステル、グリコールエステル、グリコール、グリコレート、ヘキサヒドロフタレート、イソフタレート、イソセバシン酸エステル、２，２，４−トリメチル−１，３ペンタンジオール ジイソブチレートを含むが限定はされないイソブチレート、オレイン酸エステル、パルミチン酸エステル、ペンタエリスリトールエステル、フタレート、ピロメリテート、リシノリエート、サリチル酸エステル、セバシン酸エステル、ステアリン酸エステル、コハク酸エステル、酒石酸エステル、テレフタレート、テトラヒドロフタレートおよびトリメリテートからなる群より選択されている：
（ｃ）アニオン性分散剤；
（ｄ）界面湿潤剤；および
（ｅ）（１）酸またはレシチンおよび必要に応じて塩基の組み合わせ；または
（２）予め中和された成分
のいずれかを含有する汚染物質分散剤。
【請求項１２】  水：４２．９重量％
２，２，４−トリメチル−１，３−ペンタンジオールイソブチレートである可塑剤：１４．３重量％
「Ｌ１０１」ＥＯ／ＰＯブロック共重合体（１００％活性成分）である界面湿潤剤：１４．３重量％
ナフタレンスルホネートのナトリウム塩であるアニオン性分散剤：１４．３重量％
ドデシルベンゼンスルホン酸である酸：７．１重量％；および
トリエタノールアミンである塩基：７．１重量％
からなる、請求項１１記載の汚染物質分散剤。
【請求項１３】  水：４２．９重量％
２，２，４−トリメチル−１，３−ペンタンジオールイソブチレートである可塑剤：１４．３重量％
「Ｌ１０１」ＥＯ／ＰＯブロック共重合体（１００％活性成分）である界面湿潤剤：１４．３重量％
ナフタレンスルホネートのナトリウム塩であるアニオン性分散剤：１４．３重量％；および
レシチン：１４．２重量％
からなる、請求項１１記載の汚染物質分散剤。
【請求項１４】  水：４２．９重量％
２，２，４−トリメチル−１，３−ペンタンジオールイソブチレートである可塑剤：１４．３重量％
「Ｌ１０１」ＥＯ／ＰＯブロック共重合体（１００％活性成分）である界面湿潤剤：１４．３重量％
ナフタレンスルホネートのナトリウム塩であるアニオン性分散剤：１４．３重量％；および
予め中和された成分：１４．２重量％
からなる、請求項１１記載の汚染物質分散剤。